(57)【要約】【課題】在室しているユーザの端末が、当該ユーザと、室内に入ってきた他のユーザとに応じたコンテンツを自動的に取得できる技術を提供すること。【解決手段】第１の情報端末、第２の情報端末、及び情報処理装置を含む配信システムにおいて、前記情報処理装置は、前記情報処理装置と接続される第１の接続装置の通信範囲に前記第１の情報端末が入った旨の通知を受けた際、前記第１の情報端末と、前記第１の接続装置の通信範囲に存在する第２の情報端末とに応じたコンテンツを検索するコンテンツデータ管理部と、前記検索されたコンテンツを、前記第２の情報端末に配信するコンテンツ配信部と、を備え、前記第２の情報端末は、前記配信されたコンテンツを画面に表示することで上記課題を解決する。【選択図】図１２
2017033474.tif 000002
【特許請求の範囲】
【請求項１】
第１の情報端末、第２の情報端末、及び情報処理装置を含み、
前記情報処理装置は、
前記情報処理装置と接続される第１の接続装置の通信範囲に前記第１の情報端末が入った旨の通知を受けた際、前記第１の情報端末と、前記第１の接続装置の通信範囲に存在する第２の情報端末とに応じたコンテンツを検索するコンテンツデータ管理部と、
前記検索されたコンテンツを、前記第２の情報端末に配信するコンテンツ配信部と、
を備え、
前記第２の情報端末は、前記配信されたコンテンツを画面に表示する、
配信システム。
【請求項２】
前記コンテンツデータ管理部は、前記第２の情報端末に応じたコンテンツの表示位置を管理し、前記第１の情報端末が前記第１の接続装置の通信範囲に入った旨の通知を受けると、前記第２の情報端末に応じたコンテンツの表示位置を検索し、
前記コンテンツ配信部は、前記検索された表示位置のコンテンツを、前記第２の情報端末に配信し、
前記第２の情報端末は、前記配信された表示位置のコンテンツを画面に表示する、
請求項１記載の配信システム。
【請求項３】
前記第２の情報端末は、前記第１の情報端末が前記第１の接続装置の通信範囲から出た際、前記画面に表示していたコンテンツの表示位置を情報処理装置に通知し、
前記コンテンツデータ管理部は、通知されたコンテンツの表示位置を、前記第２の情報端末に応じて管理する、
請求項２記載の配信システム。
【請求項４】
前記コンテンツ配信部は、前記第１の情報端末からの要求に応じて、所定のコンテンツを前記第２の情報端末に配信し、
前記コンテンツデータ管理部は、前記第１の情報端末が前記第１の接続装置の通信範囲から出た際、前記第２の情報端末に配信したコンテンツを回収する、
請求項１乃至３のいずれか一項に記載の配信システム。
【請求項５】
前記コンテンツデータ管理部は、回収したコンテンツを、前記第２の情報端末に応じたファイル名とし、前記第１の情報端末に応じたフォルダーに格納する、
請求項４記載の配信システム。
【請求項６】
第３の情報端末をさらに含み、
前記コンテンツデータ管理部は、前記通知を受けた後の所定のタイミングとなった際、前記情報処理装置と接続される第２の接続装置の通信範囲に入った前記第１の情報端末と、前記第２の接続装置の通信範囲に存在する前記第３の情報端末とに応じたコンテンツを検索し、
前記コンテンツ配信部は、検索されたコンテンツを、前記第３の情報端末に配信し、
前記第３の情報端末は、
当該配信されたコンテンツを画面に表示する、
請求項１乃至５のいずれか一項に記載の配信システム。
【請求項７】
第３の情報端末をさらに含み、
前記コンテンツデータ管理部は、前記情報処理装置と接続される第２の接続装置の第２の接続装置の通信範囲に前記第３の情報端末が入った旨の通知を受けた際、前記第３の情報端末と、前記第２の接続装置の通信範囲に存在する前記第１の情報端末とに応じたコンテンツを検索し、
前記コンテンツ配信部は、当該検索されたコンテンツを、前記第３の情報端末に配信し、
前記第３の情報端末は、
当該配信されたコンテンツを画面に表示する、
請求項１乃至５のいずれか一項に記載の配信システム。
【請求項８】
１以上の情報処理装置を含む配信システムであって、
当該配信システムと接続される接続装置の通信範囲に第１の情報端末が入った旨の通知を受けた際、前記第１の情報端末と、前記通信範囲に存在する第２の情報端末とに応じたコンテンツを検索するコンテンツデータ管理部と、
前記検索されたコンテンツを、前記第２の情報端末に配信するコンテンツ配信部と、
を備える配信システム。
【請求項９】
情報処理装置であって、
前記情報処理装置の通信範囲に第１の情報端末が入った旨の通知を受けた際、前記第１の情報端末と、前記通信範囲に存在する第２の情報端末とに応じたコンテンツを検索するコンテンツデータ管理部と、
前記検索されたコンテンツを、前記第２の情報端末に配信するコンテンツ配信部と、
を備える情報処理装置。
【請求項１０】
情報処理装置に、以下の処理を行わせるプログラムであって、
前記情報処理装置と接続される接続装置の通信範囲に第１の情報端末が入った旨の通知を受けた際、前記第１の情報端末と、前記通信範囲に存在する第２の情報端末とに応じたコンテンツを検索する処理と、
前記検索されたコンテンツを、前記第２の情報端末に配信する処理と、
を実行させるプログラム。
【発明の詳細な説明】
【技術分野】
【０００１】
本発明は、配信システム、情報処理装置、及びプログラムに関する。
【背景技術】
【０００２】
近年、学校や学習塾などにおいて、教師や生徒がタブレット等の情報端末を使用して授業を行う事例が増えてきている。その場合、教材等のデータは、教師や生徒が各自でサーバーからダウンロードしたり、教師が生徒の情報端末に一斉に配信したりする方法が知られている。
【０００３】
また、特許文献１には、グループ毎に異なる教材情報を同時に配信する技術が開示されている。
【発明の概要】
【発明が解決しようとする課題】
【０００４】
従来の技術では、例えば、各生徒が記入を行ったノート、レポート、宿題、教材等のような、生徒個人に関連するコンテンツのデータは、教師から全生徒に一斉配信できない。そのため、生徒が各自で自分用のコンテンツを選択し、ファイルサーバ等からダウンロードをする必要があった。
【０００５】
そこで、在室しているユーザの端末が、当該ユーザと、室内に入ってきた他のユーザとに応じたコンテンツを自動的に取得できる技術を提供することを目的とする。
【課題を解決するための手段】
【０００６】
第１の情報端末、第２の情報端末、及び情報処理装置を含む配信システムにおいて、前記情報処理装置は、前記情報処理装置と接続される第１の接続装置の通信範囲に前記第１の情報端末が入った旨の通知を受けた際、前記第１の情報端末と、前記第１の接続装置の通信範囲に存在する第２の情報端末とに応じたコンテンツを検索するコンテンツデータ管理部と、前記検索されたコンテンツを、前記第２の情報端末に配信するコンテンツ配信部と、を備え、前記第２の情報端末は、前記配信されたコンテンツを画面に表示する。
【発明の効果】
【０００７】
開示の技術によれば、在室しているユーザの端末が、当該ユーザと、室内に入ってきた他のユーザとに応じたコンテンツを自動的に取得できる。
【図面の簡単な説明】
【０００８】
【図１】実施形態に係る配信システムの全体構成を示す図である。
【図２】情報処理装置のハードウェア構成の一例を示す図である。
【図３】接続装置のハードウェア構成の一例を示す図である。
【図４】教員用情報端末及び生徒用情報端末のハードウェア構成の一例を示す図である。
【図５】実施形態に係る配信システムの機能構成を示す図である。
【図６】コンテンツ管理情報に記憶される情報の一例を示す図である。
【図７】コンテンツ情報に記憶される情報の一例を示す図である。
【図８】在圏管理情報に記憶される情報の一例を示す図である。
【図９】入退室情報に記憶される情報の一例を示す図である。
【図１０】通知タイミング情報に記憶される情報の一例を示す図である。
【図１１】教員情報に記憶される情報の一例を示す図である。
【図１２】各生徒用情報端末に、生徒及び教員に応じたコンテンツを配信するシーケンスの一例を示す図である。
【図１３】教員が教室に入った際の生徒用情報端末における画面の表示例を説明する図である。
【図１４】各生徒用情報端末がコンテンツの関連情報を更新するシーケンスの一例を示す図である。
【図１５】教員が教室から出た際の生徒用情報端末における画面の表示例を説明する図である。
【図１６】各生徒用情報端末にコンテンツを配布するシーケンスの一例を示す図である。
【図１７】教員がコンテンツを配布する際の教員用情報端末における画面の表示例を説明する図である。
【図１８】配布したコンテンツを各生徒のフォルダーに格納する処理を説明する図である。
【図１９】各生徒用情報端末に配布したコンテンツを回収するシーケンスの一例を示す図である。
【図２０】回収したコンテンツを教員のフォルダーに格納する処理を説明する図である。
【図２１】職員室内の各教員用情報端末で、更新されたコンテンツを共有するシーケンスの一例を示す図である。
【図２２】教員の不在時に更新された、当該教員に関連するコンテンツを配信する処理のフローチャートの一例を示す図である。
【図２３】所定期間に更新されたコンテンツファイルの例である。
【図２４】通知タイミングとなった際に、教員に関連するコンテンツを配信する処理のフローチャートの一例を示す図である。
【図２５】接続装置が情報処理装置に近接通知を行う場合のシーケンスの一例を示す図である。
【図２６】生徒用情報端末が情報処理装置に、教員用情報端末の近接通知を行う場合のシーケンスの一例を示す図である。
【発明を実施するための形態】
【０００９】
図１は、実施形態に係る配信システム１の全体構成を示す図である。図１に示すように、配信システム１は、１以上の情報処理装置１０、１以上の接続装置２０−１、・・・、２０−ｎ（以下で適宜「接続装置２０」と総称する）を有する。また、配信システム１は、教員が所持する１以上の教員用情報端末３０と、生徒が所持する１以上の生徒用情報端末４０−１、・・・、４０−ｎ（以下で適宜「生徒用情報端末４０」と総称する）を有する。
【００１０】
情報処理装置１０、教員用情報端末３０、生徒用情報端末４０は、接続装置２０を介してそれぞれと通信可能に接続される。
【００１１】
接続装置２０と教員用情報端末３０、接続装置２０と生徒用情報端末４０は、無線ＬＡＮ等により接続される。
【００１２】
接続装置２０と情報処理装置１０は、ＬＡＮ等のネットワークを介して接続される。
【００１３】
図１の例では、接続装置２０は、教室や職員室等の各部屋に設置されている。なお、実施形態に係る配信システム１は、教室や職員室等に限らず、オフィスや会議室等、その場所にいるユーザに、ユーザ及び発表者（講演者）に応じたコンテンツを配布する場合等に適用できる。
【００１４】
情報処理装置１０は、教室等に設置された接続装置２０の近距離無線通信が可能な通信範囲に教員用情報端末３０（第１の情報端末）が入った旨の通知を受けた際、教員用情報端末３０と、前記通信範囲に存在する各生徒用情報端末４０（第２の情報端末）とに応じたコンテンツを検索し、各生徒用情報端末４０に配信する。
【００１５】
接続装置２０は、教員用情報端末３０または生徒用情報端末４０が、ＢＬＥ（Bluetooth（登録商標） Low Energy）やＮＦＣ（Near field communication）等の近距離無線通信が可能な通信範囲に入った（近接した）ことを検知する。そして、接続装置２０は、無線ＬＡＮ（Local Area Network）等の無線通信による通信を接続するために必要な無線接続情報を、検知した教員用情報端末３０または生徒用情報端末４０に通知する。無線接続情報には、例えば、ＳＳＩＤ（Service Set Identifier）やパスワード等の情報を含めた構成としてもよい。
【００１６】
接続装置２０は、教員用情報端末３０及び生徒用情報端末４０と、無線ＬＡＮ等の無線通信を行う。従って、接続装置２０は、他の装置と通信を行う通信装置やアクセスポイントともいえる。
【００１７】
接続装置２０は、近距離無線通信により、教員用情報端末３０または生徒用情報端末４０が近距離無線通信の可能な通信範囲から出たことを検知すると、検知した教員用情報端末３０または生徒用情報端末４０との無線ＬＡＮ等の無線通信を切断する。
【００１８】
教員用情報端末３０及び生徒用情報端末４０は、例えば、スマートフォン、タブレット端末、ノートパソコン等である。教員用情報端末３０及び生徒用情報端末４０は、接続装置２０との近距離無線通信により無線接続情報を通知されると、通知された無線接続情報を用いて、接続装置２０との無線通信を接続する。
【００１９】
教員用情報端末３０及び生徒用情報端末４０は、情報処理装置１０から、教材等のコンテンツや各種データを取得し、表示する。
【００２０】
教員用情報端末３０及び生徒用情報端末４０は、近距離無線通信により、接続装置２０の近距離無線通信の通信範囲に入った（近接した）ことを検知した際、及び通信範囲から出た（離脱した）ことを検知した際、その旨を情報処理装置１０に通知する。
【００２１】
図２は、情報処理装置１０のハードウェア構成の一例を示す図である。
【００２２】
情報処理装置１０は、ＣＰＵ（Central Processing Unit）１０１、ＲＯＭ（Read Only Memory）１０２、ＲＡＭ（Random Access Memory）１０３、ＨＤＤ（Hard Disk Drive）１０４、通信インターフェイス（Ｉ／Ｆ）１０５、外部Ｉ／Ｆ１０６、入力装置１０７、表示装置１０８などを備え、それぞれがバスＢで相互に接続されている。
【００２３】
ＣＰＵ１０１は、ＲＯＭ１０２などの記憶装置からプログラムやデータをＲＡＭ１０３上に読み出し、処理を実行することで、情報処理装置１０全体の制御や機能を実現する演算装置である。
【００２４】
ＲＯＭ１０２は、電源を切ってもプログラムやデータを保持することができる不揮発性の半導体メモリ（記憶装置）であり、ＢＩＯＳ、ＯＳ設定などのプログラムやデータを格納する。
【００２５】
ＲＡＭ１０３は、プログラムやデータを一時保持する揮発性の半導体メモリ（記憶装置）である。
【００２６】
ＨＤＤ１０４は、ＯＳや、各種機能を提供するアプリケーションプログラム等のデータを格納する。
【００２７】
通信Ｉ／Ｆ１０５は、イーサネット（登録商標）に準拠する通信を行う。
【００２８】
外部Ｉ／Ｆ１０６は、外部装置とのインタフェースである。外部装置には、記録媒体１０６ａなどがある。記録媒体１０６ａには、実施形態を実現するプログラムを格納することができる。情報処理装置１０は外部Ｉ／Ｆ１０６を介して、記録媒体１０６ａの読み取り及び／又は書き込みを行うことができる。
【００２９】
記録媒体１０６ａは、例えば、ＳＤメモリカード（SD Memory card）などの記録媒体である。記録媒体１０６ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００３０】
入力装置１０７は、情報処理装置１０に各種情報を入力するためのインタフェースである。表示装置１０８は、情報処理装置１０が有する各種情報を表示する。
【００３１】
外部情報処理装置６０のハードウェア構成は、情報処理装置１０のハードウェア構成と同様である。
【００３２】
図３は、接続装置２０のハードウェア構成の一例を示す図である。
【００３３】
接続装置２０は、プロセッサ２０１、ＲＯＭ２０２、ＲＡＭ２０３、近距離無線Ｉ／Ｆ２０４、無線ＬＡＮＩ／Ｆ２０５、通信Ｉ／Ｆ２０６、外部Ｉ／Ｆ２０７などを備え、それぞれがバスＢで相互に接続されている。
【００３４】
プロセッサ２０１は、ＲＯＭ２０２などの記憶装置からプログラムやデータをＲＡＭ２０３上に読み出し、処理を実行することで、接続装置２０全体の制御や機能を実現する演算装置である。
【００３５】
ＲＯＭ２０２は、フラッシュメモリ等の、電源を切ってもプログラムやデータを保持することができる不揮発性の半導体メモリ（記憶装置）であり、ＯＳ（Operating System）、各種機能を提供するアプリケーションプログラム等のデータが格納されている。
【００３６】
ＲＡＭ２０３は、プログラムやデータを一時保持する揮発性の半導体メモリ（記憶装置）である。
【００３７】
近距離無線Ｉ／Ｆ２０４は、ＢＬＥ、ＮＦＣ、無線ＬＡＮ等の近距離無線通信を行う。
【００３８】
無線ＬＡＮＩ／Ｆ２０５は、例えば、ＩＥＥＥ８０２．１１規格に準拠する無線ＬＡＮ通信を行う。
【００３９】
通信Ｉ／Ｆ２０６は、イーサネット（登録商標）に準拠し、情報処理装置１０と通信を行う。
【００４０】
外部Ｉ／Ｆ２０７は、外部装置とのインタフェースである。外部装置には、記録媒体２０７ａなどがある。これにより、接続装置２０は外部Ｉ／Ｆ２０７を介して記録媒体２０７ａの読み取り及び／又は書き込みを行うことができる。記録媒体２０７ａにはフレキシブルディスク、ＣＤ、ＤＶＤ、ＳＤメモリカード、ＵＳＢメモリなどがある。
【００４１】
図４は、教員用情報端末３０及び生徒用情報端末４０のハードウェア構成の一例を示す図である。
【００４２】
教員用情報端末３０及び生徒用情報端末４０（以下、適宜「情報端末」とも称する）は、ＣＰＵ（Central Processing Unit）３０１、ＲＯＭ（Read Only Memory）３０２、ＲＡＭ（Random Access Memory）３０３、ＳＳＤ（Solid State Drive）３０４、近距離無線Ｉ／Ｆ３０５、無線ＬＡＮＩ／Ｆ３０６、入力装置３０７、表示装置３０８、外部Ｉ／Ｆ３０９などを備え、それぞれがバスＢで相互に接続されている。
【００４３】
ＣＰＵ３０１は、ＲＯＭ３０２やＳＳＤ３０４などの記憶装置からプログラムやデータをＲＡＭ３０３上に読み出し、処理を実行することで、情報端末全体の制御や機能を実現する演算装置である。
【００４４】
ＲＯＭ３０２は、電源を切ってもプログラムやデータを保持することができる不揮発性の半導体メモリ（記憶装置）である。ＲＯＭ３０２は、情報端末の起動時に実行されるＢＩＯＳ（Basic Input/Output System）、ＯＳ設定、及びネットワーク設定などのプログラムやデータを格納する。
【００４５】
ＲＡＭ３０３は、プログラムやデータを一時保持する揮発性の半導体メモリ（記憶装置）である。
【００４６】
ＳＳＤ３０４は、プログラムやデータを格納している不揮発性の記憶装置である。格納されるプログラムやデータには、例えば情報端末全体を制御する基本ソフトウェアであるＯＳ（Operating System）や、ＯＳ上において各種機能を提供するアプリケーションソフトウェアなどがある。ＳＳＤ３０４は格納しているプログラムやデータを所定のファイルシステム及び／又はＤＢ（データベース）により管理している。なお、ＳＳＤ３０４の代わりに又はＳＳＤ３０４と併せて、ＨＤＤ等を備えてもよい。
【００４７】
近距離無線Ｉ／Ｆ３０５は、接続装置２０を介した通信を行うためのインタフェースである。近距離無線Ｉ／Ｆ３０５は、例えば、ＢＬＥ、ＮＦＣ、無線ＬＡＮ等を用いて、接続装置２０との近距離無線通信を行う。
【００４８】
無線ＬＡＮＩ／Ｆ３０６は、例えば、ＩＥＥＥ８０２．１１規格に準拠する無線ＬＡＮ通信を行う。
【００４９】
入力装置３０７は、例えば、タッチパネルであり、情報端末に各操作信号を入力するのに用いられる。なお、入力装置３０７は、キーボードやマウスなどであってもよい。
【００５０】
表示装置３０８は、例えば、ＬＣＤ（Liquid Crystal Display）などであり、情報端末による処理結果を表示する。
【００５１】
外部Ｉ／Ｆ３０９は、外部装置とのインタフェースである。外部装置には、記録媒体３０９ａなどがある。記録媒体３０９ａには、実施形態を実現するプログラムを格納することができる。情報端末は外部Ｉ／Ｆ３０９を介して、記録媒体３０９ａの読み取り及び／又は書き込みを行うことができる。
【００５２】
記録媒体３０９ａは、例えば、ＳＤメモリカード（SD Memory card）などの記録媒体である。記録媒体３０９ａは、ＵＳＢメモリ（Universal Serial Bus memory）、ＤＶＤ（Digital Versatile Disk）、ＣＤ（Compact Disk）、フレキシブルディスクなどの記録媒体であってもよい。
【００５３】
次に、図５を参照し、実施形態に係る配信システム１の機能構成について説明する。図５は、実施形態に係る配信システム１の機能構成を示す図である。
【００５４】
情報処理装置１０は、記憶部１１、在圏管理部１２、コンテンツデータ管理部１３、コンテンツ配信部１４、通信部１５を有する。これら各部は、情報処理装置１０にインストールされた１以上のプログラムが、情報処理装置１０のＣＰＵ１０１に実行させる処理により実現される。
【００５５】
記憶部１１は、コンテンツ管理情報１１１、コンテンツ情報１１２、在圏管理情報１１３、入退室情報１１４、通知タイミング情報１１５、教員情報１１６を記憶する。
【００５６】
図６は、コンテンツ管理情報１１１に記憶される情報の一例を示す図である。コンテンツ管理情報１１１は、データの項目として、生徒ＩＤ、生徒名、コンテンツＩＤ、ファイルパス、関連情報を含む。関連情報は、データの項目として、教員ＩＤ、最終使用日、最終使用ページ（表示位置）、回収先フォルダー、回収時削除フラグ、回収時ファイル名を含む。
【００５７】
生徒ＩＤは、コンテンツを所有するユーザを識別する情報である。生徒名は、コンテンツを所有するユーザの名前である。コンテンツＩＤは、コンテンツを識別する情報である。ファイルパスは、コンテンツのファイルのパスであり、ファイルが格納されているフォルダのパスとコンテンツのファイル名を含む。教員ＩＤは、コンテンツに関連する教員を識別する情報である。最終使用日は、コンテンツに最後にアクセスした日時である。最終使用ページは、教員が教室から出た際に生徒用情報端末４０で表示されていたページ等の表示位置である。回収先フォルダーは、教員が教室から出た際に、コンテンツが回収される場合に、移動またはコピーされるフォルダーのパスである。回収時削除フラグは、コンテンツが回収される場合に、コンテンツを移動するかコピーするかを指定する情報である。例えば、「ＯＮ」であれば、元のファイルは削除され、回収先フォルダーに移動される。「ＯＦＦ」であれば、元のファイルは残ったまま、回収先フォルダーにコピーされる。回収時ファイル名は、コンテンツが回収される場合に、回収先フォルダーにおいてコンテンツのファイルに付与されるファイル名の情報である。例えば、ファイル名が「確認テスト０２２７」であり、回収時ファイル名が、末尾に生徒名を付加する設定であれば、ファイル名は例えば「確認テスト０２２７_生徒Ａ」と変更される。
【００５８】
図７は、コンテンツ情報１１２に記憶される情報の一例を示す図である。コンテンツ情報１１２は、所定のフォルダーに、コンテンツのファイルを格納する。コンテンツのファイルには、更新日時の情報が付加されている。図７の例では、教員Ａ、生徒Ａのように、教員や生徒毎にフォルダーが作成され、そのフォルダー以下に、各自のコンテンツが格納される。各生徒のフォルダーには、生徒が生徒用情報端末４０にて記入を行った教科書、問題集、ノート、レポートや、教員から指摘事項等を記入された宿題や採点されたテスト結果等のコンテンツが格納される。なお、教員用情報端末３０、生徒用情報端末４０は、各自のフォルダーにのみアクセスでき、各自のフォルダー内のファイルを閲覧したり、ファイルの更新や保存をすることができる。
【００５９】
図８は、在圏管理情報１１３に記憶される情報の一例を示す図である。在圏管理情報１１３は、データの項目として、接続装置ＩＤ、設置場所、生徒ＩＤ、教員ＩＤを含む。
【００６０】
接続装置ＩＤは、接続装置２０を識別する情報である。接続装置ＩＤは、例えば接続装置２０のＩＰアドレスやＭＡＣアドレスであってもよい。設置場所は、接続装置２０が設置されている場所を示す情報である。生徒ＩＤは、生徒を識別する情報、または生徒が所持する生徒用情報端末４０を識別する情報である。生徒ＩＤは、例えば生徒用情報端末４０のＩＰアドレスやＭＡＣアドレスであってもよい。教員ＩＤは、教員を識別する情報、または教員が所持する教員用情報端末３０を識別する情報である。教員ＩＤは、例えば教員用情報端末３０のＩＰアドレスやＭＡＣアドレスであってもよい。
【００６１】
図９は、入退室情報１１４に記憶される情報の一例を示す図である。入退室情報１１４は、データの項目として、教員ＩＤ、入室日時、退室日時を含む。教員ＩＤは、上述した図８の在圏管理情報１１３における教員ＩＤと同様である。入室日時、退室日時は、それぞれ、教員が、職員室に入った日時、職員室から出た日時である。
【００６２】
図１０は、通知タイミング情報１１５に記憶される情報の一例を示す図である。通知タイミング情報１１５には、後述する、コンテンツデータ管理部１３によるコンテンツ共有処理を行う時刻である通知タイミングの設定を格納する。
【００６３】
図１１は、教員情報１１６に記憶される情報の一例を示す図である。教員情報１１６は、データの項目として、教員ＩＤと属性を含む。属性は、例えば、教科、担任、部活等を含む。教員ＩＤは、上述した図８の在圏管理情報１１３における教員ＩＤと同様である。属性は、後述する、コンテンツデータ管理部１３によるコンテンツ共有処理にて用いられる、教員の属性を指定する情報である。
【００６４】
在圏管理部１２は、各部屋内に存在する教員用情報端末３０及び生徒用情報端末４０を管理する。具体的には、在圏管理部１２は、接続装置ＩＤと、教員ＩＤまたは生徒ＩＤとを含む近接通知を受信すると、在圏管理情報１１３に、接続装置ＩＤに対応付けて、教員ＩＤまたは生徒ＩＤを追加する。在圏管理部１２は、接続装置ＩＤと、教員ＩＤまたは生徒ＩＤとを含む離脱通知を受信すると、在圏管理情報１１３において、接続装置ＩＤに対応付けられた、教員ＩＤまたは生徒ＩＤを削除する。
【００６５】
在圏管理部１２は、接続装置ＩＤと、教員ＩＤとを含む近接通知を受信すると、在圏管理情報１１３を参照し、受信した接続装置ＩＤに対応付けられた生徒ＩＤの生徒用情報端末４０に、教員ＩＤを含む近接通知を送信する。
【００６６】
在圏管理部１２は、接続装置ＩＤと、教員ＩＤとを含む離脱通知を受信すると、在圏管理情報１１３を参照し、受信した接続装置ＩＤに対応付けられた生徒ＩＤの生徒用情報端末４０に、教員ＩＤを含む離脱通知を送信する。
【００６７】
在圏管理部１２は、接続装置ＩＤと、教員ＩＤとを含む近接通知を受信すると、受信した接続装置ＩＤが、職員室に設置された接続装置２０のＩＤであれば、入退室情報１１４に、受信した教員ＩＤを記録し、現在の日時を入室日時に記録する。
【００６８】
在圏管理部１２は、接続装置ＩＤと、教員ＩＤとを含む離脱通知を受信すると、受信した接続装置ＩＤが、職員室に設置された接続装置２０のＩＤであれば、入退室情報１１４に、受信した教員ＩＤを記録し、現在の日時を退室日時に記録する。
【００６９】
コンテンツデータ管理部１３は、生徒用情報端末４０から、教員ＩＤ及び生徒ＩＤを含むコンテンツ検索要求を受信すると、教員ＩＤ及び生徒ＩＤに応じて、生徒用情報端末４０を所持する生徒と教員に応じたコンテンツを検索する。例えば、コンテンツ管理情報１１１を参照し、受信した教員ＩＤ及び生徒ＩＤの項目が一致し、最終使用日が最も新しいコンテンツの、最終使用ページのデータを検索する。なお、コンテンツデータ管理部１３は、接続装置２０から教員用情報端末３０の近接通知を受信した際に、教室内の各生徒用情報端末４０を所持する各生徒の生徒ＩＤと、教員ＩＤとに応じたコンテンツを検索する構成としてもよい。
【００７０】
コンテンツデータ管理部１３は、生徒用情報端末４０から、コンテンツＩＤ、最終使用日、最終ページを含む更新要求を通知されると、コンテンツ管理情報１１１において、コンテンツＩＤに対応する最終使用日、最終ページを更新する。
【００７１】
コンテンツデータ管理部１３は、生徒用情報端末４０から、教員ＩＤ、コンテンツＩＤ、回収先フォルダー、回収時削除フラグ、回収時ファイル名を含むコンテンツ配布要求を受信すると、指定されたコンテンツをコピーし、コンテンツ情報１１２において各生徒のフォルダーに格納する。そして、コンテンツデータ管理部１３は、コンテンツＩＤを生成し、コンテンツ管理情報１１１に、生成したコンテンツＩＤに対応付けて、コンテンツ配布要求に含まれる教員ＩＤ等の情報を記録する。
【００７２】
コンテンツデータ管理部１３は、接続装置ＩＤと教員ＩＤとを含む離脱通知を受信すると、コンテンツ管理情報１１１を参照し、受信した教員ＩＤ及び生徒ＩＤの項目が一致し、回収先フォルダーが指定されているコンテンツがあれば、当該コンテンツを回収先フォルダーに移動する。そして、回収時削除フラグが「ＯＮ」であれば、移動元のファイルは削除する。そして、移動先のファイル名を、回収時ファイル名に従って変更する。
【００７３】
コンテンツデータ管理部１３は、教員が職員室に入った際、および通知タイミングとなった際、当該教員に関連するコンテンツを検索し、コンテンツ配信部１４に配信させるコンテンツ共有処理を行う。なお、コンテンツ共有処理の詳細は後述する。
【００７４】
コンテンツ配信部１４は、コンテンツデータ管理部１３が検索したコンテンツのデータを、各生徒用情報端末４０に配信する。
【００７５】
通信部１５は、接続装置２０等との通信を行う。
【００７６】
接続装置２０は、近距離無線通信部２１、無線通信部２２、通信部２３、制御部２４を有する。これら各部は、接続装置２０にインストールされた１以上のプログラムが、接続装置２０のプロセッサ２０１に実行させる処理により実現される。
【００７７】
近距離無線通信部２１は、近距離無線Ｉ／Ｆ２０４を制御し、教員用情報端末３０または生徒用情報端末４０が近距離無線通信の可能な圏内に入ると、ＢＬＥ、ＮＦＣ、無線ＬＡＮ等の近距離無線通信を接続する。
【００７８】
無線通信部２２は、無線ＬＡＮＩ／Ｆ２０５を制御し、教員用情報端末３０または生徒用情報端末４０との通信を行う。
【００７９】
通信部２３は、通信Ｉ／Ｆ２０６を制御し、情報処理装置１０との通信を行う。
【００８０】
制御部２４は、近距離無線通信部２１により、教員用情報端末３０または生徒用情報端末４０が近距離無線通信の可能な範囲に入ったことを検知すると、近距離無線通信部２１から、無線通信部２２との無線を接続するために必要な情報である無線接続情報を通知する。無線接続情報には、例えば無線通信部２２のＳＳＩＤやパスワードを含めてもよい。
【００８１】
制御部２４は、教員用情報端末３０または生徒用情報端末４０から情報処理装置１０宛ての要求または通知を受信すると、接続装置ＩＤを付加して、情報処理装置１０に転送する。
【００８２】
制御部２４は、近距離無線通信部２１により、教員用情報端末３０または生徒用情報端末４０が近距離無線通信の可能な範囲から離脱したことを検知すると、無線通信部２２による当該教員用情報端末３０または当該生徒用情報端末４０との無線通信を切断する。
【００８３】
教員用情報端末３０は、近距離無線通信部３１、無線通信部３２、在圏通知部３３、制御部３４を有する。これら各部は、教員用情報端末３０にインストールされた１以上のプログラムが、教員用情報端末３０のＣＰＵ３０１に実行させる処理により実現される。
【００８４】
近距離無線通信部３１は、近距離無線Ｉ／Ｆ３０５を制御し、ＢＬＥ、ＮＦＣ等の近距離無線を用いて、近距離無線通信部２１との通信を行う。
【００８５】
無線通信部３２は、無線ＬＡＮＩ／Ｆ３０６を制御し、無線ＬＡＮ等を用いて、無線通信部２２との通信を行う。無線通信部３２は、近距離無線通信部３１にて受信した無線接続情報を用いて、無線通信部３２により接続装置２０と接続する。
【００８６】
在圏通知部３３は、近距離無線通信部３１により、接続装置２０の近距離無線通信の可能な範囲に入ったことを検知した際、または、無線通信部３２により、接続装置２０と接続した際、自端末のＩＤである端末ＩＤを含む近接通知を、情報処理装置１０に通知する。
【００８７】
在圏通知部３３は、近距離無線通信部３１により、接続装置２０の近距離無線通信の可能な範囲から離脱したことを検知した際、自端末のＩＤである端末ＩＤを含む離脱通知を、情報処理装置１０に通知する。
【００８８】
制御部３４は、入力装置３０７により、配布するコンテンツや、回収する場合の回収先フォルダー等を指定する配布操作を受け付けると、情報処理装置１０に、指定された情報を含むコンテンツ配布要求を送信する。
【００８９】
制御部３４は、表示装置３０８を制御し、情報処理装置１０から受信したコンテンツのデータを画面に表示する。
【００９０】
制御部３４は、入力装置３０７を制御し、教員からの入力操作に基づいて、コンテンツのデータに書き込み等の変更を行う。
【００９１】
生徒用情報端末４０は、近距離無線通信部４１、無線通信部４２、在圏通知部４３、制御部４４を有する。これら各部は、生徒用情報端末４０にインストールされた１以上のプログラムが、生徒用情報端末４０のＣＰＵ３０１に実行させる処理により実現される。
【００９２】
生徒用情報端末４０に近距離無線通信部４１、無線通信部４２、在圏通知部４３は、教員用情報端末３０の近距離無線通信部３１、無線通信部３２、在圏通知部３３とそれぞれ同様であるため、説明を省略する。
【００９３】
制御部４４は、情報処理装置１０から、教員ＩＤを含む近接通知を受信すると、情報処理装置１０に、教員ＩＤ及び自端末の生徒ＩＤを含むコンテンツ検索要求を送信する。
【００９４】
制御部４４は、情報処理装置１０から、教員ＩＤを含む離脱通知を受信すると、情報処理装置１０に、コンテンツＩＤ、最終使用日、最終ページを含む更新要求を通知する。
【００９５】
制御部４４は、表示装置３０８を制御し、情報処理装置１０から受信したコンテンツのデータを画面に表示する。
【００９６】
制御部４４は、入力装置３０７を制御し、生徒からの入力操作に基づいて、コンテンツのデータに書き込み等の変更を行う。
【００９７】
次に、図１２を参照し、教員用情報端末３０を所持する教員が教室に入った際に、教室内の各生徒用情報端末４０に、生徒及び教員に応じたコンテンツを配信する動作について説明する。図１２は、各生徒用情報端末４０に、生徒及び教員に応じたコンテンツを配信するシーケンスの一例を示す図である。
【００９８】
各生徒用情報端末４０を所持する各生徒が教室に入ると、教室に設置された接続装置２０（第１の接続装置）は、各生徒用情報端末４０が近接したことを検知し（ステップＳ１０１）、無線通信を接続する（ステップＳ１０２）。各生徒用情報端末４０は、情報処理装置１０に、接続装置２０と近接した旨（近接通知）を通知する（ステップＳ１０３）。
【００９９】
教員用情報端末３０を所持する教員が教室に入ると、接続装置２０は、教員用情報端末３０が近接したことを検知し（ステップＳ１０４）、無線通信を接続する（ステップＳ１０５）。教員用情報端末３０は、情報処理装置１０に、接続装置２０と近接した旨を通知する（ステップＳ１０６）。
【０１００】
情報処理装置１０は、各生徒用情報端末４０に、教員用情報端末３０が接続装置２０に近接した旨を通知する（ステップＳ１０７）。
【０１０１】
各生徒用情報端末４０は、情報処理装置１０に、コンテンツの検索を要求する（ステップＳ１０８）。なお、ステップＳ１０７及びステップＳ１０８の、入室通知及び検索要求の処理を省略する構成としてもよい。
【０１０２】
情報処理装置１０は、生徒及び教員に応じたコンテンツを検索し（ステップＳ１０９）、検索したコンテンツを各生徒用情報端末４０に配信する（ステップＳ１１０）。
【０１０３】
各生徒用情報端末４０は、受信したコンテンツを表示する（ステップＳ１１１）。
【０１０４】
次に、図１３を参照し、図１２で教員が教室に入った際の、生徒用情報端末４０における画面の表示例を説明する。図１３は、教員が教室に入った際の生徒用情報端末４０における画面の表示例を説明する図である。
【０１０５】
図１３（Ａ）は、生徒Ａが、コンテンツ情報１１２の自身のフォルダーにアクセスした場合の画面の表示例である。生徒Ａは、この画面上の操作により、フォルダーやファイルを選択し、自身のフォルダーに格納されているコンテンツのファイルの表示、編集、保存等の操作を行うことができる。
【０１０６】
図１３（Ｂ）は、図１２のステップＳ１０７で、情報処理装置１０から、教員用情報端末３０が接続装置２０に近接した旨を通知された際の画面の表示例である。例えば、教員が入室した旨のメッセージを表示する。
【０１０７】
図１３（Ｃ）は、図１２のステップＳ１１１で、情報処理装置１０から受信したコンテンツを表示する際の画面の表示例である。
【０１０８】
次に、図１４を参照し、教員用情報端末３０を所持する教員が教室から出た際に、教室内の各生徒用情報端末４０が、コンテンツの関連情報を更新する動作について説明する。図１４は、各生徒用情報端末４０が、コンテンツの関連情報を更新するシーケンスの一例を示す図である。
【０１０９】
教員用情報端末３０を所持する教員が教室から出ると、教員用情報端末３０及び接続装置２０は、教員用情報端末３０が接続装置２０の通信範囲から離脱したことを検知する（ステップＳ２０１）。教員用情報端末３０は、情報処理装置１０に、接続装置２０から離脱した旨（離脱通知）を通知する（ステップＳ２０２）。
【０１１０】
接続装置２０は、教員用情報端末３０との無線通信を切断する（ステップＳ２０３）。
【０１１１】
情報処理装置１０は、各生徒用情報端末４０に、教員用情報端末３０が接続装置２０から離脱した旨を通知する（ステップＳ２０４）。
【０１１２】
各生徒用情報端末４０は、情報処理装置１０に、コンテンツＩＤ、最終使用日、最終ページを含む更新要求を通知する（ステップＳ２０５）。
【０１１３】
情報処理装置１０は、受信した更新要求に基づき、コンテンツＩＤに対応する最終使用日、最終ページを更新し（ステップＳ２０６）、各生徒用情報端末４０に、更新が完了した旨を通知する（ステップＳ２０７）。
【０１１４】
次に、図１５を参照し、図１４で教員が教室から出た際の、生徒用情報端末４０における画面の表示例を説明する。図１５は、教員が教室から出た際の生徒用情報端末４０における画面の表示例を説明する図である。
【０１１５】
図１５（Ａ）は、情報処理装置１０から受信したコンテンツを表示している際の画面の表示例である。
【０１１６】
図１５（Ｂ）は、図１４のステップＳ２０４で、情報処理装置１０から、教員用情報端末３０が接続装置２０から離脱した旨を通知された際の画面の表示例である。例えば、教員が退室した旨のメッセージを表示する。
【０１１７】
図１５（Ｃ）は、図１４のステップＳ２０７で、情報処理装置１０から、更新が完了した旨を通知された際の画面の表示例である。例えば、更新が完了した旨のメッセージを表示する。
【０１１８】
次に、図１６を参照し、教員用情報端末３０からの指示により、教室内の各生徒用情報端末４０に、コンテンツを配布する動作について説明する。図１６は、各生徒用情報端末４０に、コンテンツを配布するシーケンスの一例を示す図である。
【０１１９】
教員が、教員用情報端末３０にて、配布するコンテンツや、回収する場合の回収先フォルダー等を指定して、配布操作を行うと、教員用情報端末３０は、情報処理装置１０に、指定されたコンテンツの配布を要求する（ステップＳ３０１）。
【０１２０】
情報処理装置１０は、指定されたコンテンツをコピーし、各生徒のフォルダーに格納する。そして、情報処理装置１０は、コンテンツＩＤを生成し、コンテンツ管理情報１１１に、生成したコンテンツＩＤに対応付けて、教員ＩＤや、配布要求時に回収先フォルダー等が指定されていれば指定された回収先フォルダー等を記録する（ステップＳ３０２）。情報処理装置１０は、各生徒のフォルダーに格納したコンテンツを、各生徒の生徒用情報端末４０に配布する（ステップＳ３０３）。
【０１２１】
各生徒用情報端末４０は、受信したコンテンツを表示する（ステップＳ３０４）。
【０１２２】
次に、図１７を参照し、図１６で教員がコンテンツを配布する際の、教員用情報端末３０における画面の表示例を説明する。図１７は、教員がコンテンツを配布する際の教員用情報端末３０における画面の表示例を説明する図である。
【０１２３】
図１７（Ａ）は、教員Ａが、コンテンツ情報１１２の自身のフォルダーにアクセスした場合の画面の表示例である。教員Ａは、この画面上の操作により、フォルダーやファイルを選択し、自身のフォルダーに格納されているコンテンツのファイルの表示、編集、保存等の操作を行うことができる。
【０１２４】
図１７（Ｂ）は、図１６のステップＳ３０１で、配布するコンテンツを選択した際の画面の表示例である。
【０１２５】
図１７（Ｃ）は、図１６のステップＳ３０１で、回収する場合の回収先フォルダー、回収時削除フラグ、回収時ファイル名等を指定する際の画面の表示例である。
【０１２６】
図１７（Ｄ）は、図１６のステップＳ３０１で、情報処理装置１０にコンテンツの配布を要求する前の確認画面の表示例である。
【０１２７】
次に、図１８を参照し、図１６のステップＳ３０２で、指定されたコンテンツをコピーし、コンテンツ情報１１２の各生徒のフォルダーに格納する処理について説明する。図１８は、配布したコンテンツを各生徒のフォルダーに格納する処理を説明する図である。図１５の例では、教員Ａが、教員Ａのフォルダーの下のコンテンツのファイルと、関連情報を指定し、配布操作を行うと、指定されたコンテンツのファイルがコピーされ、各生徒のフォルダーの下に格納される。
【０１２８】
次に、図１９を参照し、教員用情報端末３０を所持する教員が教室から出た際に、教室内の各生徒用情報端末４０に配布したコンテンツを回収する動作について説明する。図１９は、各生徒用情報端末４０に配布したコンテンツを回収するシーケンスの一例を示す図である。
【０１２９】
ステップＳ４０１〜ステップＳ４０３は、図１４のステップＳ２０１〜ステップＳ２０３と同様であるため、その詳細な説明は省略する。
【０１３０】
情報処理装置１０は、各生徒のフォルダーに格納されているコンテンツに、回収することが指定されているものがあれば、当該コンテンツを教員のフォルダーに移動する（ステップＳ４０４）。情報処理装置１０は、各生徒用情報端末４０にコンテンツを回収した旨を通知する（ステップＳ４０５）。
【０１３１】
次に、図２０を参照し、図１９のステップＳ４０４で、回収することが指定されているコンテンツをコンテンツ情報１１２の教員のフォルダーに移動する処理について説明する。
【０１３２】
図２０は、回収したコンテンツを教員のフォルダーに格納する処理を説明する図である。図２０の例では、各生徒のフォルダーの下に格納されている、回収することが指定されているコンテンツのファイルを、配布時に指定された関連情報に従って、教員Ａのフォルダーの下に移動する。
【０１３３】
次に、図２１を参照し、教員用情報端末３０−１（第３の情報端末）を所持する教員が、職員室内の各教員用情報端末３０−ｎ等で更新されたコンテンツを共有する動作について説明する。図２１は、職員室内の各教員用情報端末３０で、更新されたコンテンツを共有するシーケンスの一例を示す図である。
【０１３４】
教員用情報端末３０−１を所持する教員Ａが職員室に入ると、職員室に設置された接続装置２０（第２の接続装置）は、教員用情報端末３０−１が近接したことを検知し（ステップＳ５０１）、無線通信を接続する（ステップＳ５０２）。教員用情報端末３０−１は、情報処理装置１０に、接続装置２０と近接した旨を通知する（ステップＳ５０３）。
【０１３５】
情報処理装置１０は、入退室情報１１４を参照し、不在時に入室した教員を検索し（ステップＳ５０４）、教員用情報端末３０−１に、不在時に入室した教員を通知する（ステップＳ５０５）。
【０１３６】
教員用情報端末３０−１は、通知された教員により更新された、教員Ａに関連するコンテンツの検索を要求する（ステップＳ５０６）。
【０１３７】
情報処理装置１０は、教員Ａの不在時に更新された、教員Ａに関連するコンテンツを検索し（ステップＳ５０７）、教員用情報端末３０−１に配信する（ステップＳ５０８）。
【０１３８】
教員用情報端末３０−１は、受信したコンテンツを表示する（ステップＳ５０９）。
【０１３９】
情報処理装置１０は、通知タイミング情報１１５を参照し、指定された時間になったことを検知すると（ステップＳ５１０）、入退室情報１１４を参照し、前回の通知タイミング以降に入室した教員を検索し（ステップＳ５１１）。そして、情報処理装置１０は、教員用情報端末３０−１に、前回の通知タイミング以降に入室した教員を通知する（ステップＳ５１２）。
【０１４０】
教員用情報端末３０−１は、通知された教員により更新された、教員Ａに関連するコンテンツの検索を要求する（ステップＳ５１３）。
【０１４１】
情報処理装置１０は、前回の通知タイミング以降に更新された、教員Ａに関連するコンテンツを検索し（ステップＳ５１４）、教員用情報端末３０−１に配信する（ステップＳ５１５）。
【０１４２】
教員用情報端末３０−１は、受信したコンテンツを表示する（ステップＳ５１６）。
【０１４３】
なお、ステップＳ５０５及びステップＳ５０６と、ステップＳ５１２及びステップＳ５１３の、入室通知及び検索要求の処理を省略する構成としてもよい。
【０１４４】
次に、図２２を参照し、情報処理装置１０のコンテンツデータ管理部１３が、図２１のステップＳ５０４〜ステップＳ５０８で、教員が職員室に入った際、教員の不在時に更新された、当該教員に関連するコンテンツを配信するコンテンツ共有処理の詳細について説明する。図２２は、教員の不在時に更新された、当該教員に関連するコンテンツを配信する処理のフローチャートの一例を示す図である。
【０１４５】
コンテンツデータ管理部１３は、教員が入室したことを検知すると（ステップＳ６０１）、通知タイミング情報１１５を参照し、前々回の通知タイミングから前回の通知タイミングまでの間に入室した各教員を取得する（ステップＳ６０２）。そして、コンテンツ情報１１２の各教員のフォルダーに格納されているコンテンツのファイルのうち、更新日時が、前々回の通知タイミングから前回の通知タイミングまでの間であるものを取得する（ステップＳ６０３）。取得したコンテンツのファイルのうち、入室した教員の属性が、ファイルパスに含まれるものを取得する（ステップＳ６０４）。コンテンツ配信部１４に、入室した教員の教員用情報端末３０へ、取得したコンテンツのファイルを送信させる（ステップＳ６０５）。
【０１４６】
それにより、例えば、職員室等の部屋にいる職員の間で、教員が授業中に作成した授業の動画等のコンテンツを共有し、コンテンツを閲覧しながら教員同士で議論をすることができる。また、通知タイミングを設定することにより、例えば、次の時間帯（例えば２時限目）に授業がなく、職員室に滞在している教員同士で、前の時間帯（例えば１時限目）の授業の状況を共有することができる。
【０１４７】
例えば、図９、図１０、図１１に示す例の場合、ステップＳ６０１で、教員Ｄが、2015/02/27/11:15に入室したことを検知する。ステップＳ６０２で、前々回の通知タイミングから前回の通知タイミングまでの間である、2015/02/27/10:00から2015/02/27/11:00までの間に入室した教員Ａ、Ｂを取得する。ステップＳ６０３で、コンテンツ情報１１２の各教員のフォルダーに格納されているコンテンツのファイルのうち、更新日時が、2015/02/27/10:00から2015/02/27/11:00までの間であるものを取得する。このときの取得結果の例を図２３に示す。図２３は、所定期間に更新されたコンテンツファイルの例である。
【０１４８】
ステップＳ６０４で、図２３に示すコンテンツファイルのうち、教員Ｄの属性の文字列である「数学」または「野球部」がファイルパスに含まれるものを検索する。それにより、「教員B\指導記録\2015年03月04日\1時間目\3年1組\数学\」フォルダーの「黒板」及び「テスト結果」ファイルを検索結果として取得する。ステップＳ６０５で、コンテンツ配信部に、教員Ｄが所持する教員用情報端末３０へ、検索したコンテンツファイルを送信させる。
【０１４９】
次に、図２４を参照し、情報処理装置１０のコンテンツデータ管理部１３が、図２１のステップＳ５１０〜ステップＳ５１５で、通知タイミングとなった際に、教員に関連するコンテンツを配信するコンテンツ共有処理の詳細について説明する。図２４は、通知タイミングとなった際に、教員に関連するコンテンツを配信する処理のフローチャートの一例を示す図である。
【０１５０】
コンテンツデータ管理部１３は、現在時刻が通知タイミングになったことを検知すると（ステップＳ７０１）、通知タイミング情報１１５を参照し、前回の通知タイミング以降に入室した各教員を取得する（ステップＳ７０２）。そして、各教員のフォルダーに格納されているコンテンツのファイルのうち、更新日時が、前回の通知タイミング以降であるものを取得する（ステップＳ７０３）。
【０１５１】
現在、在室している教員のうちの一の教員を取得する（ステップＳ７０４）。取得したコンテンツのファイルのうち、入室した教員の属性が、ファイルパスに含まれるものを取得する（ステップＳ７０５）。コンテンツ配信部１４に、入室した教員の教員用情報端末３０に、取得したコンテンツのファイルを送信させる（ステップＳ７０６）。
【０１５２】
現在、在室している教員のうち、未取得の他の教員がいるか判断し（ステップＳ７０７）、未取得の他の教員がいなければ（ステップＳ７０７でＮＯ）処理を終了する。未取得の他の教員がいれば（ステップＳ７０７でＹＥＳ）、当該他の教員を取得し（ステップＳ７０８）、上述したステップＳ７０５の処理へ戻る。
【０１５３】
例えば、図９、図１０、図１１に示す例の場合、ステップＳ７０１で、現在時刻が通知タイミングである2015/02/27/11:00になったことを検知する。
ステップＳ７０２で、前回の通知タイミングである、2015/02/27/10:00以降に入室した教員Ａ、Ｂを取得する。ステップＳ７０３で、コンテンツ情報１１２の各教員のフォルダーに格納されているコンテンツのファイルのうち、更新日時が、2015/02/27/10:00から2015/02/27/11:00までの間であるものを取得する。このときの取得結果が図２３だったとする。
【０１５４】
ステップＳ７０４で、在室している教員のうちの一の教員である教員Ｃを取得する。ステップＳ７０５で、図２３に示すコンテンツファイルのうち、教員Ｃの属性の文字列である「国語」、「２年１組」、または「美術部」がファイルパスに含まれるものを検索する。そして、「教員A\指導記録\2015年03月04日\1時間目\2年1組\国語\」フォルダーの「黒板」、「授業風景」、及び「質問内容」ファイルを検索結果として取得する。
【０１５５】
ステップＳ７０５で、コンテンツ配信部に、教員Ｃが所持する教員用情報端末３０へ、検索したコンテンツファイルを送信させる。以降、在室している教員Ａ、Ｂ、Ｄについても、同様の処理を行う。
【０１５６】
＜変形例＞
近接通知及び離脱通知は、教員用情報端末３０及び生徒用情報端末４０から接続装置２０を介して情報処理装置１０に送信する構成に代えて、接続装置２０から情報処理装置１０に通知する構成としてもよい。その場合、接続装置２０の制御部２４を次のような構成としてもよい。
【０１５７】
制御部２４は、近距離無線通信部２１により、教員用情報端末３０または生徒用情報端末４０が近距離無線通信の可能な範囲に入ったこと、または、無線通信部２２により、教員用情報端末３０または生徒用情報端末４０と接続したことを検知する。そして、制御部２４は、検知した教員用情報端末３０または生徒用情報端末４０から端末ＩＤを取得し、自装置のＩＤである接続装置ＩＤと、端末ＩＤとを含む近接通知を、情報処理装置１０に通知する。
【０１５８】
制御部２４は、近距離無線通信部２１により、教員用情報端末３０または生徒用情報端末４０が近距離無線通信の可能な範囲から離脱したこと、または、無線通信部２２による教員用情報端末３０または生徒用情報端末４０との無線通信が切断したことを検知する。そして、制御部２４は、検知した教員用情報端末３０または生徒用情報端末４０から端末ＩＤを取得し、自装置のＩＤである接続装置ＩＤと、端末ＩＤとを含む離脱通知を、情報処理装置１０に通知する。
【０１５９】
その場合、例えば、各生徒用情報端末４０に、生徒及び教員に応じたコンテンツを配信するシーケンスは、図１２の代わりに、図２５のシーケンスとしてもよい。
【０１６０】
図２５は、接続装置２０が情報処理装置１０に近接通知を行う場合のシーケンスの一例を示す図である。図２５では、図１２のシーケンスと比較し、以下が異なる。図１２のステップＳ１０３の代わりに、ステップＳ１０３Ａでは、接続装置２０は、情報処理装置１０に、各生徒用情報端末４０と近接した旨（近接通知）を通知する。図１２のステップＳ１０６の代わりに、ステップＳ１０６Ａでは、接続装置２０は、情報処理装置１０に、教員用情報端末３０と近接した旨を通知する。
【０１６１】
教員用情報端末３０の近接通知及び離脱通知は、生徒用情報端末４０から情報処理装置１０に通知する構成としてもよい。その場合、例えば、各生徒用情報端末４０に、生徒及び教員に応じたコンテンツを配信するシーケンスは、図１２の代わりに、図２６のシーケンスとしてもよい。
【０１６２】
図２６は、生徒用情報端末４０が情報処理装置１０に、教員用情報端末３０の近接通知を行う場合のシーケンスの一例を示す図である。図２６では、図１２のシーケンスと比較し、以下が異なる。図１２のステップＳ１０６、ステップＳ１０７の代わりに、ステップＳ１０６Ｂでは、接続装置２０は、生徒用情報端末４０に、教員用情報端末３０と近接した旨を通知する。
【０１６３】
接続装置２０は、近距離無線通信部２１を別体の装置として構成してもよい。それにより、例えば近距離無線通信部２１を会議室の出入り口付近に設置し、接続装置２０の本体を会議室の中央付近に設置するなどが可能となる。
【０１６４】
接続装置２０は、無線通信部２２を備えず、近距離無線通信部２１により、教員用情報端末３０および生徒用情報端末４０との無線通信を行う構成としてもよい。その場合、教員用情報端末３０および生徒用情報端末４０も、無線通信部３２、４２を備えない構成としてもよい。
【０１６５】
情報処理装置１０と接続装置２０とを一体の装置として構成してもよい。その場合、接続装置２０の機能を有する情報処理装置１０を、教室や職員室等の各部屋に配置する構成としてもよい。
【０１６６】
なお、上述した実施形態におけるシステム構成は一例であり、用途や目的に応じて様々なシステム構成例があることは言うまでもない。例えば、情報処理装置１０は、複数台の装置により構成してもよい。
【符号の説明】
【０１６７】
１  配信システム
１０  情報処理装置
１１  記憶部
１１１  コンテンツ管理情報
１１２  コンテンツ情報
１１３  在圏管理情報
１１４  入退室情報
１１５  通知タイミング情報
１１６  教員情報
１２  在圏管理部
１３  コンテンツデータ管理部
１４  コンテンツ配信部
１５  通信部
２０  接続装置
２１  近距離無線通信部
２２  無線通信部
２３  通信部
２４  制御部
３０  教員用情報端末
３１  近距離無線通信部
３２  無線通信部
３３  在圏通知部
３４  制御部
４０  生徒用情報端末
４１  近距離無線通信部
４２  無線通信部
４３  在圏通知部
４４  制御部
【先行技術文献】
【特許文献】
【０１６８】
【特許文献１】特開２００３−０３６２１８号公報
【図１】
2017033474.tif 000003
【図２】
2017033474.tif 000004
【図３】
2017033474.tif 000005
【図４】
2017033474.tif 000006
【図５】
2017033474.tif 000007
【図６】
2017033474.tif 000008
【図７】
2017033474.tif 000009
【図８】
2017033474.tif 000010
【図９】
2017033474.tif 000011
【図１０】
2017033474.tif 000012
【図１１】
2017033474.tif 000013
【図１２】
2017033474.tif 000014
【図１３】
2017033474.tif 000015
【図１４】
2017033474.tif 000016
【図１５】
2017033474.tif 000017
【図１６】
2017033474.tif 000018
【図１７】
2017033474.tif 000019
【図１８】
2017033474.tif 000020
【図１９】
2017033474.tif 000021
【図２０】
2017033474.tif 000022
【図２１】
2017033474.tif 000023
【図２２】
2017033474.tif 000024
【図２３】
2017033474.tif 000025
【図２４】
2017033474.tif 000026
【図２５】
2017033474.tif 000027
【図２６】
2017033474.tif 000028